(57)【要約】【課題】  耕耘装置自体の軽量とコンパクト化を図ること。【解決手段】  支持部と、同支持部に回動自在に支持される耕耘軸部と、同耕耘軸部に内蔵されて耕耘軸部を回動駆動する回動駆動部とを具備させた。このようにして、支持部に回動自在に支持される耕耘軸部に、同耕耘軸部を回動駆動する回動駆動部を内蔵させているため、動力伝機構を必要最低限にコンパクト化することができて、耕耘装置自体を軽量かつコンパクト化することができる。従って、一般家庭の女性や老人でも簡単に使用することができて、楽に耕耘作業を行うことができる。しかも、耕耘装置がコンパクトであるため、一般家庭においても耕耘装置の収納スペースに事欠くことがない。【選択図】      図１
2005151917.tif 000002
【特許請求の範囲】
【請求項１】
支持部と、同支持部に回動自在に支持される耕耘軸部と、同耕耘軸部に内蔵されて耕耘軸部を回動駆動する回動駆動部とを具備する耕耘装置。
【請求項２】
支持部に耕耘軸部を着脱自在に取り付けたことを特徴とする請求項１記載の耕耘装置。
【請求項３】
耕耘軸部内に、回動駆動部として電動モータを設ける一方、支持部の下部にバッテリーを取り付けて、同バッテリーに上記電動モータを接続したことを特徴とする請求項１又は２記載の耕耘装置。
【発明の詳細な説明】
【技術分野】
【０００１】
本発明は、歩行型の耕耘装置に関する。
【背景技術】
【０００２】
従来、歩行型の耕耘装置の一形態として、機体フレームにミッションケースを支持させ、同ミッションケースに走行車輪を連動連結すると共に、同ミッションケースにロータリケースを介して耕耘軸部を連動連結し、また、機体フレームに設けた電動モータに伝動機構を介して上記ミッションケースを連動連結し、さらに、機体フレームの後端部より後上方へ向けてハンドルバーを延設したものがある（例えば、特許文献１参照）。
【０００３】
このようにして、電動モータを駆動させることにより、走行車輪と耕耘軸部を回動させることができるようにして、オペレータは、ハンドルバーの先端部を把持して、歩行しながら耕耘軸部に取り付けた耕耘爪により耕耘作業を行うことができるようにしている。
【特許文献１】特開２００１−１６９６０２号公報
【発明の開示】
【発明が解決しようとする課題】
【０００４】
ところが、近年では、家庭菜園を行う人が増えてきており、一般家庭においては、従来の歩行型の耕耘装置でも収納スペースに事欠くことがあった。
【０００５】
そこで、小型軽量で、特に、一般家庭の女性や老人でも簡単に使用することができる軽量かつコンパクトな耕耘装置の開発が望まれていた。
【課題を解決するための手段】
【０００６】
本発明では、支持部と、同支持部に回動自在に支持される耕耘軸部と、同耕耘軸部に内蔵されて耕耘軸部を回動駆動する回動駆動部とを具備する耕耘装置を提供するものである。
【０００７】
また、本発明は、以下の構成にも特徴を有する。
【０００８】
（１）支持部に耕耘軸部を着脱自在に取り付けたこと。
【０００９】
（２）耕耘軸部内に、回動駆動部として電動モータを設ける一方、支持部の下部にバッテリーを取り付けて、同バッテリーに上記電動モータを接続したこと。
【発明の効果】
【００１０】
（１）請求項１記載の本発明では、支持部と、同支持部に回動自在に支持される耕耘軸部と、同耕耘軸部に内蔵されて耕耘軸部を回動駆動する回動駆動部とを具備している。
【００１１】
このようにして、支持部に回動自在に支持される耕耘軸部に、同耕耘軸部を回動駆動する回動駆動部を内蔵させているため、動力伝機構を必要最低限にコンパクト化することができて、耕耘装置自体を軽量かつコンパクト化することができる。
【００１２】
従って、一般家庭の女性や老人でも簡単に使用することができて、楽に耕耘作業を行うことができる。しかも、耕耘装置がコンパクトであるため、一般家庭においても耕耘装置の収納スペースに事欠くことがない。
【００１３】
（２）請求項２記載の本発明では、支持部に耕耘軸部を着脱自在に取り付けている。
【００１４】
このようにして、支持部に耕耘軸部を着脱自在に取り付けているため、駆動力の異なる回動駆動部を内蔵した耕耘軸部を複数用意しておくことにより、所要の耕耘軸部に付け替えるだけで、所要の耕耘作業を適宜行うことができると共に、耕耘軸部のメンテナンス等も楽に行うことができる。
【００１５】
（３）請求項３記載の本発明では、耕耘軸部内に、回動駆動部として電動モータを設ける一方、支持部の下部にバッテリーを取り付けて、同バッテリーに上記電動モータを接続している。
【００１６】
このようにして、電動モータにより耕耘軸部を駆動するようにしているため、騒音や振動の発生を抑制することができると共に、排気ガスの発生をなくすことができる。
【００１７】
しかも、比較的重量物であるバッテリーを支持部の下部に取り付けているため、同バッテリーを耕耘軸部が耕耘爪を介して圃場面から受ける反力により跳ね上がるのを抑制するウエイトとしても有効利用することができて、耕耘機能を安定化させることができ、耕耘作業能率を向上させることができる。
【発明を実施するための最良の形態】
【００１８】
図1〜図３に示すＡは、本発明に係る耕耘装置であり、同耕耘装置Ａは、支持部１と、同支持部１に回動自在に支持される耕耘軸部２と、同耕耘軸部２に内蔵されて耕耘軸部２を回動駆動する回動駆動部３（図６参照）とを具備している。Ｍは作業者である。
【００１９】
以下に、支持部１と耕耘軸部２と回動駆動部３の構造を、具体的に説明する。
【００２０】
〔支持部１の説明〕
支持部1は、図1〜図３に示すように、耕耘軸部２を支持する支持部本体４と、同支持部本体４より上方へ伸延する支持部中間体５と、同支持部中間体５の上端部より後方へ伸延する把持体６とを具備しており、同把持体６をハンドルとなしている。
【００２１】
そして、支持部本体４は、左右一対の上下伸延片7,7と、両上下伸延片7,7の上端部間に架設した左右伸延片８とから正面視門型に形成しており、これら伸延片7,7,8はそれぞれ中空パイプ状に形成している。
【００２２】
また、支持部中間体５は、上記支持部本体４の左右伸延片８に固設した支持台９と、同支持台９に下端部を固設して上下方向に伸延する中間本体10と、同中間本体10の下部に取付体11を介して取り付けた抵抗棒12とを具備している。
【００２３】
支持台９は、バッテリー（図示せず）を内蔵するバッテリーケース13と中間本体10とを支持している。
【００２４】
中間本体10は、上下方向に伸延する中空パイプ状の下半部片14と、同下半部片14中に抜き差し自在でかつ上下方向に伸延する中空パイプ状の上半部片15と、両上・下半部片15,14を伸縮調節する調節体16とを具備している。
【００２５】
調節体16は、図４及び図５にも示すように、挟持片17の中途部17aを下半部片14の上部の外周面に沿わせて円弧状に形成すると共に、同中途部17aの左右側端部17b,17bを左右に平行させて後方へ伸延させて対向配置し、両左右側端部17b、17bに左右方向に軸線を向けた挟持ボルト18を貫通させて、右側端部17bより外方へ貫通した挟持ボルト18の先端部に雌ネジ片19を螺着し、同雌ネジ片19に回動操作片20を取り付けている。
【００２６】
ここで、下半部片14の上部には、上下方向に伸延する複数（本実施例では三個）の縦溝21,21,21を円周方向に間隔を開けて形成して、同下半部片14の上部を半径方向に拡縮自在となしている。
【００２７】
このようにして、回動操作片20を介して雌ネジ片19を正・逆回動させることにより、挟持ボルト18を介して左右側端部17b,17b同士を接近・離隔調節して、下半部片14の上部を拡縮調節することができるようにしている。
【００２８】
従って、下半部片14に差し込んでいる上半部片15を伸縮調節する際には、上記したように回動操作片20を操作して下半部片14を拡径調節し、同状態にて上半部片15を適宜上下方向にスライドさせ、その後、回動操作片20を操作して下半部片14を縮径調節して、上半部片15を固定することができる。
【００２９】
また、下半部片14の中途部には、左右方向に伸延するバッテリーケース係止体22の中途部を前後方向に軸線を向けた枢支ピン23を介して枢支しており、同バッテリーケース係止体22の左側端部にフック状の係止片24を形成する一方、バッテリーケース係止体22の右側端部に操作片25を形成している。
【００３０】
しかも、枢支ピン23にトルクバネ26を取り付けて、同トルクバネ26によりバッテリーケース係止体22を係止片24の係止方向（図５において、枢支ピン23を中心とする反時計廻り）に回動するように弾性付勢している。34は、バッテリーケース13の上動を規制する上動規制ピンである。
【００３１】
ここで、前記したバッテリーケース13の後面中央部には、下半部片14が嵌入可能な凹条部27を上下方向に伸延させて形成し、同凹条部27を中心にして後面左側部にポケット状の係止片受体28を設ける一方、後面右側部に操作片受体29を設けている。
【００３２】
そして、バッテリーケース13の下端前中央部に係合片30を下方へ突設する一方、バッテリーケース13の上端部に取っ手片31を設けている。32は、バッテリーケース13に設けたメインスイッチである。
【００３３】
このようにして、バッテリーケース13を支持台９上に取り付ける際には、支持台９上にバッテリーケース13を載置して、同支持台９の前端部に設けた係合受片33に係合片30を係合させると共に、下半部片14にバッテリーケース13の凹条部27を嵌合させる。
【００３４】
この際、図５に一点鎖線で示すように、バッテリーケース係止体22の操作片25をトルクバネ26の弾性付勢に抗して下方へ押し下げることにより、同バッテリーケース係止体22の係止片24を上方へ引き上げておき、同係止片24に係止片受体28が干渉しないようにする。
【００３５】
そして、下半部片14にバッテリーケース13の凹条部27を嵌合させた後に、操作片25から手を離すと、トルクバネ26の弾性付勢力によりバッテリーケース係止体22が回動して係止片24が係止片受体28に係止されると共に、操作片25が操作片受体29に下方から当接して、バッテリーケース係止体22の回動が規制される。
【００３６】
その結果、バッテリケース13が係止片受体28を介して係止片24に係止されて、支持台９と下半部片14に固定された状態となり、バッテリーケース13を支持台９上に簡単に取り付けることができる。
【００３７】
また、バッテリーケース13を支持台９上から取り外す際には、上記した取り付け手順とは反対の手順をたどることより、簡単に取り外すことができる。
【００３８】
把持体６は、上半部片15の上端部に連設しており、同把持体６の下側には手元スイッチ35を沿わせて配置しており、同手元スイッチ35は、把持体６と一緒に把持するとＯＮ状態となって、後述する回動駆動部３を始動させることができる一方、把持体６を把持している手を弛めるとＯＦＦ状態となって、回動駆動部３を停止させることができるようにしている。
【００３９】
なお、かかる手元スイッチ35による回動駆動部３の始動・停止操作は、バッテリーケース13に設けたメインスイッチ32をＯＮ状態にすることにより可能となり、同メインスイッチ32をＯＦＦ状態にしておくと、手元スイッチ35を操作しても回動駆動部３は始動しないようにしている。
【００４０】
〔耕耘軸部２の説明〕
耕耘軸部２は、図1〜図３及び図６に示すように、前記した支持部本体４に設けた左右一対の上下伸延片7,7の下端部に、それぞれ左右方向に軸線を向けた左右一対の回動支軸40,40を取り付け、両回動支軸40,40間に耕耘軸41を回動自在に架設している。
【００４１】
ここで、回動支軸40の外側端部には雄ネジ部53を形成して、同雄ネジ部53を上下伸延片７の下端部に形成した挿通孔54中に挿通し、同挿通孔54から外側方へ突出する雄ネジ部53の部分にワッシャ55を介して雌ネジ体56を螺着している。
【００４２】
このようにして、雌ネジ体56を着脱することにより、支持部本体４に回動支軸40,40を介して耕耘軸41を着脱自在となしている。
【００４３】
しかも、図１に示すように、側面視にて上下方向に伸延する中間本体10の軸線L1の近傍位置に、上記回動支軸の軸線L2を配置している。
【００４４】
耕耘軸41は、各回動支軸40,40の外周面にベアリング42,42を介してリング状の端壁体43,43を回動自在に取り付け、両端壁体43,43の外周縁部間に円筒状の耕耘軸本体44を介設し、同耕耘軸本体44の外周面に耕耘爪取付片45を介して多数の耕耘爪46を同一円周方向に間隔を開けて取り付けると共に、軸線方向にも間隔を開けて取り付けている。47は耕耘爪取付ボルトである。
【００４５】
また、各回動支軸40,40には泥土等侵入防止体48,48を取り付けて、耕耘軸41内に泥土等が侵入するのを防止している。
【００４６】
すなわち、泥土等侵入防止体48は、回動支軸40の外周面に取り付けて端壁体43の外側方を被覆するリング状の端壁体被覆片49と、同端壁体被覆片49の周縁部より耕耘軸本体44側に伸延して、同耕耘軸本体44の外周面の外周を重合状態に被覆する筒状の回転軸本体被覆片50と、上記端壁体被覆片49に取り付けて、同端壁体被覆片49と端壁体43との間の空間51を遮断する遮断片52とから構成している。
【００４７】
このようにして、回転軸本体被覆片50の内周面と耕耘軸本体44の外周面との間の間隙から泥土等が侵入したとしてのも、遮断片52により侵入泥土等が回動支軸40の外周面にまで到達するのを防止して、後述する回動駆動部３内に泥土等が侵入することにより、同回動駆動部３が損傷等されるという不具合の発生を防止している。
【００４８】
〔回動駆動部３の説明〕
回動駆動部３は、図６に示すように、電動モータ60と減速機構61とを具備しており、電動モータ60は、右側の回動支軸40に右側端部を連設し、左端部より左側方へ向けて駆動軸62を突出させて、同駆動軸62と耕耘軸本体44とを減速機構61を介して連動連結している。
【００４９】
減速機構61は、二段階減速を行う遊星歯車機構となしており、駆動軸62に第１サンギヤ63を同軸的に取り付け、同第１サンギヤ63の外周に第１インナーギヤ64をギヤ支持体65を介して電動モータ60に支持させて配置し、同第１インナーギヤ64と第１サンギヤ63との間に複数個の第１プライマリーギヤ66を噛合させ、これらの第１プライマリーギヤ66をキャリヤ67により一体的に連結している。
【００５０】
そして、上記キャリヤ67に第２サンギヤ68を設け、同第２サンギヤ68に複数個の第２プライマリーギヤ69を噛合させると共に、各第２プライマリーギヤ69を、上記ギヤ支持体65と、左側の回動支軸40に形成した鍔状のギヤ支持片70との間に回転自在に取り付け、これらの第２プライマリーギヤ69の外周に第２インナーギヤ71を噛合させると共に、同第２インナーギヤ71の外周面を耕耘軸本体44の内周面に固設している。72は第１プライマリーギヤ支軸、73は第２サンギヤ支軸、74は第２プライマリーギヤ支軸である。
【００５１】
ここで、駆動軸62と第１サンギヤ63と第２サンギヤ68と第２サンギヤ支軸73は、同一軸線上に配置している。
【００５２】
また、バッテリーに電動モータ60を接続している電気コード75は、図２，図３及び図６に示すように、中空パイプ状の支持部本体４中と、右側の回動支軸40の中心部に形成したコード挿通孔76とを通して配線している。
【００５３】
本発明の実施の形態は、上記のように構成しているものであり、本実施の形態では以下のような作用・効果が生起される。
【００５４】
（１）支持部１に回動自在に支持される耕耘軸部２に、同耕耘軸部２を回動駆動する回動駆動部３を内蔵させているため、動力伝機構を必要最低限にコンパクト化することができて、耕耘装置Ａ自体を軽量かつコンパクト化することができる。
【００５５】
従って、一般家庭の女性や老人でも簡単に使用することができて、楽に耕耘作業を行うことができる。しかも、耕耘装置がコンパクトであるため、一般家庭においても耕耘装置Ａの収納スペースに事欠くことがない。
【００５６】
（２）支持部１に耕耘軸部２を着脱自在に取り付けているため、駆動力の異なる回動駆動部３を内蔵した耕耘軸部２を複数用意しておくことにより、所要の耕耘軸部２に付け替えるだけで、所要の耕耘作業を適宜行うことができると共に、耕耘軸部２のメンテナンス等も楽に行うことができる。
【００５７】
（３）電動モータ60により耕耘軸部２を駆動するようにしているため、騒音や振動の発生を抑制することができると共に、排気ガスの発生をなくすことができる。
【００５８】
（４）比較的重量物であるバッテリーを支持部１の下部に取り付けているため、同バッテリーを耕耘軸部２が耕耘爪46を介して圃場面から受ける反力により跳ね上がるのを抑制するウエイトとしても有効利用することができて、耕耘機能を安定化させることができ、耕耘作業能率を向上させることができる。
【００５９】
（５）側面視にて上下方向に伸延する中間本体10の軸線L1の近傍位置に、回動支軸40の軸線L2を配置しているため、中間本体10の上端部に設けた把持体６を把持して行うハンドル操作を楽に行うことができて、作業者の疲労を軽減することができる。その結果、一般家庭の女性や老人でも長時間耕耘作業を行うことができる。
【００６０】
（６）中間本体10を調節体16により上下方向に伸縮調節自在となしているため、作業者の体格等に応じて中間本体10を適宜伸縮調節することにより、作業者は楽な姿勢で耕耘作業を行うことができる。その結果、この点からも作業者の疲労の軽減を図ることができる。
【００６１】
また、収納時には、中間本体10を調節体16により最短状態に収縮させることにより、耕耘装置Ａの収容スペースの削減を図ることもできる。
【００６２】
図７は、他の実施の形態としての耕耘装置Ａを示しており、同耕耘装置Ａは、前記した耕耘装置Ａと基本的構造を同じくしているが、中間本体10の調節体16の構造と、支持部本体４の形状において異なる。
【００６３】
すなわち、調節体16は、下半部片14の上部に位置決め孔80を左右方向に貫通させて形成する一方、上半部片15の下部に複数の調節孔81を上下方向に間隔を開けて左右方向に貫通させて形成し、いずれか所要の調節孔81を位置決め孔80に符合させて、符合した両孔80,81中に位置決めピン82を抜き差し自在に挿通することにより、上半部片15の伸縮調節を行うことができるようにしている。
【００６４】
また、支持部本体４は、上下伸延片７と、同上下伸延片７の上端部に外側端部を連設した左右伸延片８とから形成して、上下伸延片７の下端部に耕耘軸部２を片持ち支持するようにして、耕耘装置Ａの軽量化を図っている。
【図面の簡単な説明】
【００６５】
【図１】本発明に係る耕耘装置の使用状態での側面説明図。
【図２】同耕耘装置の側面説明図。
【図３】同耕耘装置の正面図。
【図４】支持部の断面平面図。
【図５】同支持部の背面説明図。
【図６】耕耘軸部の断面正面図。
【図７】他実施形態としての耕耘装置の正面説明図。
【符号の説明】
【００６６】
Ａ  耕耘装置
１  支持部
２  耕耘軸部
３  回動駆動部
４  支持部本体
５  支持部中間体
６  把持体
【図１】
2005151917.tif 000003
【図２】
2005151917.tif 000004
【図３】
2005151917.tif 000005
【図４】
2005151917.tif 000006
【図５】
2005151917.tif 000007
【図６】
2005151917.tif 000008
【図７】
2005151917.tif 000009